(57)【要約】【課題】使用者が正しいスイングを習得することができるゴルフ練習具を提供する。【解決手段】使用者の背面側に回して着用されるゴルフ練習具であって、腕部を通すための環状弾性ベルト部２，２が左右方向両端部に配設され、さらに、左右中間領域には、弾性ベルト部２，２を連結する連結ベルト部１が設けられ、着用状態で、弾性ベルト部２，２が、短縮方向への弾発力Ｆ，Ｆをもって、使用者の背後から両脇を閉めるように構成されている。【選択図】図１
2017086459.tif 000002
【特許請求の範囲】
【請求項１】
使用者の背面側に回して着用されるゴルフ練習具であって、
腕部を通すための環状弾性ベルト部（２）（２）が左右方向両端部（Ｅ）（Ｅ）に配設され、さらに、左右中間領域（Ｃ）には、上記弾性ベルト部（２）（２）を連結する連結ベルト部（１）が設けられ、
着用状態で、上記弾性ベルト部（２）（２）が、短縮方向への弾発力（Ｆ）（Ｆ）をもって、使用者の背後から両脇を閉めるように構成されたことを特徴とするゴルフ練習具。
【請求項２】
上記連結ベルト部（１）は、非伸縮性帯体から成り、かつ、上記弾性ベルト部（２）（２）は、伸縮自在の弾性体から成り、
上記着用状態で、上記弾性ベルト部（２）（２）が伸長して短縮方向への上記弾発力（Ｆ）（Ｆ）を発生する請求項１記載のゴルフ練習具。
【請求項３】
上記連結ベルト部（１）は、一部又は全部が伸縮性帯体から成り、かつ、上記弾性ベルト部（２）（２）は、伸縮自在の弾性体から成り、
上記着用状態で、上記連結ベルト部（１）及び上記弾性ベルト部（２）（２）が伸長して短縮方向への上記弾発力（Ｆ）（Ｆ）を発生する請求項１記載のゴルフ練習具。
【請求項４】
上記連結ベルト部（１）は、長さ寸法（Ｌ）が調節自在である請求項１，２又は３記載のゴルフ練習具。
【請求項５】
上記連結ベルト部（１）は、使用者の背面に対して左右方向への位置ずれを阻止するための上下方向の小凹凸条部（６）が形成されている請求項１，２，３又は４記載のゴルフ練習具。
【発明の詳細な説明】
【技術分野】
【０００１】
本発明は、ゴルフ練習具に関する。
【背景技術】
【０００２】
従来、ゴルフのスイング練習時に装着するゴルフ練習具が提案されている（特許文献１参照）。
【先行技術文献】
【特許文献】
【０００３】
【特許文献１】特開２０１２−２１７８２３号公報
【発明の概要】
【発明が解決しようとする課題】
【０００４】
しかし、従来のゴルフ練習具は、使用者の身体の前で両腕を固定するものがほとんどであった。
特許文献１記載のように、身体の前で両腕にベルトを掛けて固定しても、両腕を前後方向に自由に動かすことができ、スイング時に、両腕が前後方向にブレて回転運動の中心となる軸から離れてしまい、安定したスイングの練習ができなかった。また、両腕が全く動かないように強く固定されると、体幹部の動きが制限され、バックスイングを十分にとることができなかった。しかも、身体の前で両腕の動きを矯正することに使用者の意識が集中し過ぎると、スイングの姿勢が前屈みになり、身体の背後に軸を意識できず、正しいスイングを習得することができないという欠点があった。
【０００５】
そこで、本発明は、使用者が正しいスイングを習得することができるゴルフ練習具を提供することを目的とする。
【課題を解決するための手段】
【０００６】
本発明に係るゴルフ練習具は、使用者の背面側に回して着用されるゴルフ練習具であって、腕部を通すための環状弾性ベルト部が左右方向両端部に配設され、さらに、左右中間領域には、上記弾性ベルト部を連結する連結ベルト部が設けられ、着用状態で、上記弾性ベルト部が、短縮方向への弾発力をもって、使用者の背後から両脇を閉めるように構成されたものである。
【０００７】
また、上記連結ベルト部は、非伸縮性帯体から成り、かつ、上記弾性ベルト部は、伸縮自在の弾性体から成り、上記着用状態で、上記弾性ベルト部が伸長して短縮方向への上記弾発力を発生するものである。
また、上記連結ベルト部は、一部又は全部が伸縮性帯体から成り、かつ、上記弾性ベルト部は、伸縮自在の弾性体から成り、上記着用状態で、上記連結ベルト部及び上記弾性ベルト部が伸長して短縮方向への上記弾発力を発生するものである。
また、上記連結ベルト部は、長さ寸法が調節自在であるものである。
また、上記連結ベルト部は、使用者の背面に対して左右方向への位置ずれを阻止するための上下方向の小凹凸条部が形成されているものである。
【発明の効果】
【０００８】
本発明のゴルフ練習具によれば、背骨をスイング動作の回転運動の軸として、腕が体幹部と一体に回転する感覚を習得でき、正しいスイングを身に付けることができる。スイング動作中に、腕が回転運動の軸から離れて脇が開く（空く）のを抑制でき、手打ちの癖を矯正することができる。使用者が腕の動きに気を取られてしまうことがほとんどなく、背面側に軸の意識を持ってスイング動作を行うことができる。しかも、背中に回して着用する為、女性も使い易い。
【図面の簡単な説明】
【０００９】
【図１】本発明に係るゴルフ練習具の着用状態を示した斜視図である。
【図２】本発明のゴルフ練習具の実施の一形態を示した図であって、（Ａ）は背面から見た斜視図であり、（Ｂ）は正面図である。
【図３】使用状態を示した説明図である。
【図４】ゴルフのスイング動作を示す正面図であり、（Ａ）はアドレス姿勢を示す正面図であり、（Ｂ）はバックスイングした姿勢を示す正面図であり、（Ｃ）はダウンスイングの開始時を示す正面図であり、（Ｄ）はインパクトの直前を示す正面図であり、（Ｅ）はインパクトの瞬間を示す正面図であり、（Ｆ）はインパクトの直後を示す正面図である。
【発明を実施するための形態】
【００１０】
以下、実施の形態を示す図面に基づき本発明を詳説する。
図１と図２に示すように、本発明のゴルフ練習具は、使用者の背面側に回して（背中面に当てて）着用されるものであって、腕部を通すための環状弾性ベルト部２，２が左右方向両端部Ｅ，Ｅに配設され、さらに、弾性ベルト部２，２を連結する連結ベルト部１が左右中間領域Ｃに設けられている。
【００１１】
弾性ベルト部２，２は、伸縮自在の弾性体（帯体）から成り、着用状態で、弾性ベルト部２，２が伸長して短縮方向への弾発力Ｆ，Ｆを発生し、この弾発力Ｆ，Ｆをもって、使用者の背後から両脇を閉めるように構成されている。
弾性ベルト部２，２は、使用者の上腕に装着され、左右夫々の腕が前後方向、及び、拡開（左右）方向へ揺動するのを、使用者の背後から両脇を閉める方向への弾発力Ｆ，Ｆをもって抑制する。弾性ベルト部２は、取付部８が一体に縫着され、取付部８の端部に、合成樹脂製の留め具３が取着されている。
【００１２】
連結ベルト部１は、非伸縮性帯体から成り、長手方向一端部に面状ファスナーの雄部４を有し、他端部に面状ファスナーの雌部５を有している。連結ベルト部１は、留め具３，３に挿通され、面状ファスナーの雌部５に雄部４を取着することで、平面視で細長閉環状となって左右の弾性ベルト部２，２を連結する。即ち、面状ファスナーの雌部５に対する雄部４の取着位置を変更することにより、連結ベルト部１は長さ寸法Ｌが調節自在である。なお、連結ベルト部１は、面状ファスナーの雌部５が外向き（外面）に配設され、面状ファスナーの雄部４が長手方向一端部の内面に配設される。面状ファスナーの雌部５は、肌触りが柔らかく、使用者の背中に接触しても不快な痛みを感じさせない（チクチクしない）。
【００１３】
なお、連結ベルト部１は、一部又は全部が伸縮性帯体から成るものとしても良く、着用状態で、連結ベルト部１及び弾性ベルト部２，２が伸長して、使用者の背後から両脇を閉める方向への弾発力Ｆ，Ｆを発生することもある。
【００１４】
連結ベルト部１は、使用者の背面に対して左右方向への位置ずれを阻止するための小凹凸条部６が形成されている。
連結ベルト部１は、小凹凸条部６により表面摩擦係数が増大し、着用状態で、連結ベルト部１が滑りを生じることなく、使用者の背面に沿って当接する。着用状態に於て、例えば、使用者の右腕だけが（弾性ベルト部２の弾発力Ｆに抗して）開かれた場合には、右側の弾性ベルト部２による弾発力Ｆだけが増大し、逆に、左腕だけが開かれた場合には、左側の弾性ベルト部２による弾発力Ｆだけが増大する。即ち、弾性ベルト部２，２による弾発力Ｆ，Ｆは、左右夫々の腕に対して、ほぼ独立して働きかけ、使用者の両腕の開きを抑制する。
【００１５】
上述した本発明のゴルフ練習具の使用方法（作用）について説明する。
図３に示すように、本発明のゴルフ練習具は、使用者Ｍの背面に沿わせて（背中面に当てて）連結ベルト部１を背面中央位置に当接させ、弾性ベルト部２，２に使用者Ｍの両腕を通して装着する。使用者Ｍが両腕を身体の前に出してゴルフクラブＤを構えると、背後から両脇を閉める方向への弾発力Ｆ，Ｆが発生し、弾性ベルト部２，２が使用者の両腕を背面中央へ引き寄せる。本発明のゴルフ練習具は、使用者の背後から両脇を閉める方向への弾発力Ｆ，Ｆをもって、背後から両腕をサポートする。このように、使用者Ｍの背後から両腕をサポートすることで、ちょうど背骨に一致する位置にスイング動作の軸Ｘを意識させ、使用者が前屈みになるのを防止する。つまり、本発明のゴルフ練習具を着用した使用者Ｍの背筋は真っ直ぐに伸び、かつ、両脇を閉めて正しい姿勢をとることが可能となる。また、本発明のゴルフ練習具は、背面側に回して着用するものである為、胸部の支障になることがなく、男女の性別に関係なく、女性プレイヤーでも違和感なく使用できる利点がある。
【００１６】
図４（Ａ）に示すように、使用者ＭがゴルフクラブＤのグリップを両手で握って、ゴルフボールを打つ前のアドレス姿勢をとる際、使用者Ｍの背後から両脇を閉める方向への弾発力Ｆ，Ｆによって、使用者Ｍの両腕をサポートして脇が開く（空く）のを防止する。
次に、図４（Ｂ）に示すように、ゴルフクラブＤを頭上に振り上げてバックスイングする。この際、弾発力Ｆ，Ｆにより両腕が体幹部に引き寄せられ、腕だけが単独で動くことが抑制されて、両腕と体幹部が一体に回転する。ただし、弾性ベルト部２，２から両腕に付与される弾発力Ｆ，Ｆによって、体幹部の捻りを制限することはなく、使用者の左肩が正面から見て右側に押込まれるように、十分なバックスイングをとることが可能である。
【００１７】
図４（Ｃ）から図４（Ｄ）に示すように、ゴルフクラブＤを振り下ろしてダウンスイングする。この時もまた、弾発力Ｆ，Ｆによって、両腕の前後方向へのブレが規制され、スイングの軸Ｘから腕が離れてしまうことが、ほとんどない。即ち、弾性ベルト部２，２の背後からのサポートによって、両腕の動きが最小限に抑えられ、背骨に一致する軸Ｘ廻りに体幹部と両腕が一体となって回転する。
図４（Ｅ）に示すように、インパクトの瞬間には、使用者Ｍの身体の前でゴルフクラブＤが立った状態でゴルフボールＢを捉える。言い換えると、スイング動作に於て、回転運動に両腕の動きが先行することもなく、また、両腕の動きが遅れることもなく、両腕が体幹部と一体となって回転することで、使用者ＭがゴルフボールＢに正対した状態でゴルフボールＢを打つことができ、かつ、スイングの軸ＸとゴルフボールＢとの距離感を一定に維持することが可能となる。従って、ゴルフボールＢを飛ばしたい方向へ、正確に打つことができる。
図４（Ｆ）に示すように、ゴルフボールＢを打った後も、弾発力Ｆ，Ｆによって、スイングの軸Ｘが最後までブレずに、両腕が体幹部に引き寄せられたままゴルフクラブＤを振ることができる。
【００１８】
図４（Ａ）〜（Ｆ）に示すスイング動作中に、連結ベルト部１は、使用者の背面に対して左右方向への位置ずれをすることなく、背面に沿って当接して、弾性ベルト部２，２は、左右夫々の腕に対して短縮方向への弾発力Ｆ，Ｆを作用させて、使用者の両腕の開きを抑制する。このように、弾性ベルト部２，２が、使用者の両腕を左右夫々に独立してサポートして、スイング動作中の両腕の動きを最小限に抑え、体幹部と両腕の動きに一体感をもってスイングの回転運動を行うことができる。
【００１９】
なお、本発明は、設計変更可能であって、例えば、連結ベルト部１は、バックルを用いて長さ寸法を調節自在としても良い（図示省略）。
【００２０】
以上のように、本発明に係るゴルフ練習具は、使用者の背面側に回して着用されるゴルフ練習具であって、腕部を通すための環状弾性ベルト部２，２が左右方向両端部Ｅ，Ｅに配設され、さらに、左右中間領域Ｃには、上記弾性ベルト部２，２を連結する連結ベルト部１が設けられ、着用状態で、上記弾性ベルト部２，２が、短縮方向への弾発力Ｆ，Ｆをもって、使用者の背後から両脇を閉めるように構成されたので、背骨をスイング動作の回転運動の軸Ｘとして、腕が体幹部と一体に回転する感覚を習得でき、正しいスイングを身に付けることができる。スイング動作中に、腕が回転運動の軸Ｘから離れて脇が開く（空く）のを抑制でき、手打ちの癖を矯正することができる。使用者が腕の動きに気を取られてしまうことがほとんどなく、背面側に軸Ｘの意識を持ってスイング動作を行うことができる。しかも、背中に回して着用する為、女性も使い易い。
【００２１】
また、上記連結ベルト部１は、非伸縮性帯体から成り、かつ、上記弾性ベルト部２，２は、伸縮自在の弾性体から成り、上記着用状態で、上記弾性ベルト部２，２が伸長して短縮方向への上記弾発力Ｆ，Ｆを発生するので、使用者Ｍの背後から両脇を閉める方向に弾発力Ｆ，Ｆを付与して、両腕を背面中央へ引き寄せるようにサポートでき、脇が開くのを確実に防止できる。
【００２２】
また、上記連結ベルト部１は、一部又は全部が伸縮性帯体から成り、かつ、上記弾性ベルト部２，２は、伸縮自在の弾性体から成り、上記着用状態で、上記連結ベルト部１及び上記弾性ベルト部２，２が伸長して短縮方向への上記弾発力Ｆ，Ｆを発生するので、使用者Ｍの背後から両脇を閉める方向に弾発力Ｆ，Ｆを付与して、両腕を背面中央へ引き寄せるようにサポートでき、脇が開くのを確実に防止できる。
【００２３】
また、上記連結ベルト部１は、長さ寸法Ｌが調節自在であるので、肩幅の広い男性から、華奢な女性に至るまで、使用者の体格の違いに対応できる。
【００２４】
また、上記連結ベルト部１は、使用者の背面に対して左右方向への位置ずれを阻止するための上下方向の小凹凸条部６が形成されているので、使用者の両脇を閉める方向への弾発力Ｆ，Ｆが、左右夫々の腕に対して独立して付与されて、使用者の両腕の開きを確実に抑制できる。
【符号の説明】
【００２５】
１  連結ベルト部
２  弾性ベルト部
６  小凹凸条部
Ｅ  両端部
Ｆ  弾発力
Ｌ  長さ寸法
Ｃ  左右中間領域
【図１】
2017086459.tif 000003
【図２】
2017086459.tif 000004
【図３】
2017086459.tif 000005
【図４】
2017086459.tif 000006